(57)【要約】      （修正有）【課題】室外から施錠機構部が見えないようにするとともに、例え不法侵入者が解錠操作しようとしても、施錠状態時には解錠が非常に困難である引戸の防犯錠を提供する。【解決手段】内側障子に設けられた錠ケース２０の前部には出没自在に設けた施錠片３０を、外側障子には施錠片３０が係合する受孔７１を有した受座７０を有し、錠ケース２０の後部には室内側から操作されると共にその作動により施錠片３０が連動されて錠ケース２０内から出没されるようにしたサムターン４０と、錠ケース２０の室内側に臨む位置にはガード部材５０を設け、閉戸時に、サムターン４０を施錠方向へ作動することにより施錠片３０が錠ケース２０内から突出して相手方の受座７０の受孔７１に係合した施錠状態時において、ガード部材５０をサムターン４０に係止させることにより、サムターン４０の解錠方向への回動を阻止して施錠片３０の解錠を阻止するようにした。【選択図】  図１１
2008280719.tif 000002
【特許請求の範囲】
【請求項１】
内側障子に設けられた錠ケースの前部には出没自在に設けた施錠片を有し、外側障子には前記施錠片が係合する受孔を有した受座を有し、錠ケースの後部には室内側から操作されると共にその作動により施錠片が連動されて錠ケース内から出没されるようにしたサムターンを設け、
錠ケースの室内側に臨む位置には、ガード部材を設け、
閉戸時に、サムターンを施錠方向へ作動することにより施錠片が錠ケース内から突出して相手方の受座の受孔に係合した施錠状態時において、前記ガード部材をサムターンに係止させることにより、サムターンの解錠方向への回動を阻止して前記施錠片の解錠を阻止するようにしたことを特徴とする引戸の防犯錠。
【請求項２】
前記錠ケース内の前部には、トリガーを設けてあり、解錠して開戸した時には前記トリガーが施錠片に係合して施錠片が錠ケース内から突出するのを阻止するとともに、閉戸時には該トリガーと施錠片との係合が解除され施錠片の錠ケース内からの突出を許容するようにしてある請求項１に記載の引戸の防犯錠。
【請求項３】
前記錠ケースの左右側壁には、サムターンを枢着する枢軸の縦方向の平行軸線上に、上端部と下端部とが径大で、この上下両端部を結ぶ中央部が径小な縦長のガイド溝を形成する一方、
前記サムターンには、前記上下両端部の径大なガイド溝と連通する連通孔を貫設し、この連通孔にバネを嵌挿するとともに、このバネの両端部と錠ケースのガイド溝との間に位置決め部材を介装してある請求項１または２に記載の引戸の防犯錠。
【発明の詳細な説明】
【技術分野】
【０００１】
本発明は、引違い戸や片引戸の引戸に使用される引戸の防犯錠に関する。
【背景技術】
【０００２】
従来より、この種の引戸の防犯錠としては、（イ）クレセント錠が知られている。このクレセント錠は、内側障子に設けられる三日月型の操作部材と、外側障子に設けられる受部材とからなり、閉戸時には前記操作部材の摘みを回動して該操作部材の係合部を、受部材の係合受部に係合して施錠するものである。
【０００３】
また、（ロ）最近では、引戸の上框や下框等の表面に両面テープなどで固定して取付けて使用するなどの防犯金具も販売されている。
【発明の開示】
【発明が解決しようとする課題】
【０００４】
しかしながら、上記従来例（イ）、（ロ）のいずれも、不法侵入者が、室外から上記クレセント錠や防犯金具の周辺のガラスを割って、該クレセント錠や防犯金具が解錠されるのを防止することができなかった。
【０００５】
本発明は、上記従来の問題点を解決するものであり、室外から施錠機構部が見えないようにするとともに、例え不法侵入者が引戸のガラスを割って、施錠機構部を探りあてて、片手を室内側に入れて解錠操作しようとしても、この発明の施錠状態時には解錠が非常に困難である引戸の防犯錠を提供することを目的とする。
【課題を解決するための手段】
【０００６】
上記目的を達成するため、本発明の請求項１の引戸の防犯錠は、内側障子に設けられた錠ケースの前部には出没自在に設けた施錠片を有し、外側障子には前記施錠片が係合する受孔を有した受座を有し、錠ケースの後部には室内側から操作されると共にその作動により施錠片が連動されて錠ケース内から出没されるようにしたサムターンを設け、
錠ケースの室内側に臨む位置には、ガード部材を設け、
閉戸時に、サムターンを施錠方向へ作動することにより施錠片が錠ケース内から突出して相手方の受座の受孔に係合した施錠状態時において、前記ガード部材をサムターンに係止させることにより、サムターンの解錠方向への回動を阻止して前記施錠片の解錠を阻止するようにしたことを特徴とする。
【０００７】
ここで、錠ケースの前部とは、引戸の閉戸時において相手方の受座に対向する錠ケー
スの前部分をいう。また、錠ケースの後部とは、室内側を臨む錠ケースの後部分をいう。
【０００８】
請求項２の引戸の防犯錠は、前記錠ケース内の前部には、トリガーを設けてあり、解錠して開戸した時には前記トリガーが施錠片に係合して施錠片が錠ケース内から突出するのを阻止するとともに、閉戸時には該トリガーと施錠片との係合が解除され施錠片の錠ケース内からの突出を許容するようにしてある。
【０００９】
ここで、トリガーの形状や取付位置は、図示のものに限定されず適宜設計変更できる。
【００１０】
請求項３の引戸の防犯錠は、前記錠ケースの左右側壁には、サムターンを枢着する枢軸の縦方向の平行軸線上に、上端部と下端部とが径大で、この上下両端部を結ぶ中央部が径小な縦長のガイド溝を形成する一方、前記サムターンには、前記上下両端部の径大なガイド溝と連通する連通孔を貫設し、この連通孔にバネを嵌挿するとともに、このバネの両端部と錠ケースのガイド溝との間に位置決め部材を介装してある。
【００１１】
ここで、サムターンを解錠位置と施錠位置に位置決めする構成は、図示のものに限定
されず適宜設計変更できる。
【発明の効果】
【００１２】
請求項１の発明によれば、施錠片とサムターンとガード部材とからなる施錠機構部の全部が、錠ケース内に収納されて室外から見えないので、不法侵入者が室外から施錠機構部を破壊できず防犯上有効である。
また、閉戸時に、サムターンを施錠方向へ作動することにより施錠片が錠ケース内から突出して相手方の受座の受孔に係合した施錠状態時において、前記ガード部材をサムターンに係止させることにより、サムターンの解錠方向への回動を阻止して前記施錠片の解錠を阻止するようにしてあるので、不法侵入者が引戸のガラスを割って、施錠機構部を探りあてて、片手を室内側に入れて解錠操作しようとしても、この発明の施錠状態時には解錠が非常に困難である。
【００１３】
請求項２の発明によれば、請求項１の効果に加え、解錠して開戸した時にはトリガーの係止部が施錠片の係止受部に係止して、施錠片が錠ケースから突出するのを阻止するので、内側障子が開いた状態で不用意に施錠片が突出して、閉戸時に施錠片が外側障子に当たり、障子や施錠片が損傷するというおそれがなく、安全である。
【００１４】
請求項３の発明によれば、請求項１又は２の効果に加え、縦長のガイド溝とバネと位置決め部材との簡単な構成により、解錠時には、サムターンの摘み部を上動することにより、前記位置決め部材を錠ケースの上端部ガイド溝に係合させて、サムターンの解錠状態が確実に保持されると共に、該サムターンに連動される施錠片も、前記トリガーの作用と相俟って錠ケース内より突出しないように阻止する。また、施錠時には、サムターンの摘み部を下動することにより、前記位置決め部材を下端部ガイド溝に係合させて、サムターンの施錠状態が確実に保持されると共に、施錠片の突出状態が保持される。
【発明を実施するための最良の形態】
【００１５】
本発明の最良の実施形態を図１〜図１４に基づいて以下に説明する。
図１は本発明に係る引戸の防犯錠を内外両側の障子に取り付けた解錠状態の水平断面図である。
この図１で、仮想線で示す部分は、内側障子１と外側障子１０とからなる引違い戸の閉戸状態を示しており、３は内側障子の縦框、１３は外側障子の縦框、４は内側障子のガラス、１４は外側障子のガラスである。
【００１６】
内側障子の縦框３には、図５に示すような錠ケース２０が埋設されており、外側障子の縦框１３には、図５に示すような受座７０が前記錠ケース２０に対向するように埋設されている。
【００１７】
錠ケース２０は、この実施形態では、図１、図２、図５、図９、図１１及び図１３に示すように、ケース本体２０Ａと、ケース座２０Ｂとで構成してある。すなわち、ケース本体２０Ａの後部には上下に凹部２１、２１を形成し、この凹部２１、２１に、ケース座２０Ｂの前面に突出した突起２２、２２を嵌合して、両者をビス２３、２３で固定している。また、ケース本体２０Ａの前端面には、施錠片３０が出没する出没孔２４ａを有する前板２４がビス２５で固定してある。
【００１８】
ケース座２０Ｂは、前部壁２６の略中央部に後述するサムターン４０の回動を許容するための傾斜状の連通孔２７を形成するとともに、前部壁２６の後方は室内側に開放した収納室２８を形成している。ケース本体２０Ａの前端からケース座２０Ｂの後端に至るまで、内部は前記連通孔２７も含めて収納室２８としてある。
【００１９】
前記錠ケース２０内（収納室２８）の前部には、該錠ケース２０内（収納室２８）に
出没自在に設けた施錠片３０が、枢軸３１でケース本体２０Ａの左右側壁２９、２９に枢着してある。
また、前記収納室２８の前部には、前記施錠片３０の下方に、凹部２１に嵌装したトリガーバネ６２で常時は時計方向に付勢されたトリガー６０が設けてある。
【００２０】
錠ケース２０内（収納室２８）の後部には、室内側から操作される摘み部４１を有するサムターン４０が、枢軸４２でケース座２０Ｂの左右側壁２９Ａ、２９Ａに枢着してある。
【００２１】
施錠片３０の一端部（後端部）には長穴３２が形成されており、この長穴３２に嵌挿された連結軸３３で、サムターン４０の他端部とを連結して、サムターン４０の摘み部４１の下動または上動により施錠片３０が錠ケース２０内（収納室２８）から出没される。
【００２２】
また、施錠片３０の下部には、図２に示されているように、解錠開戸状態において、前記トリガー６０の係止部６３が係止される係止受部３４が形成されている。
【００２３】
前記錠ケース２０の後部を形成するケース座２０Ｂの左右側壁２９Ａ、２９Ａには、
サムターン４０を枢着する枢軸４２の縦方向の平行軸線上に、上端部と下端部とが径大で、この上下両端部を結ぶ中央部が径小な縦長のガイド溝２９０を形成してある。つまり、前記ガイド溝２９０は、上下両端部に径大の上端部ガイド溝２９１と下端部ガイド溝２９２とを有し、上下両端部のガイド溝２９１，２９２間に径小の中央部ガイド溝２９３を有している。
【００２４】
一方、サムターン４０には、前記上下両端部の径大なガイド溝２９１、２９２と連通する連通孔４３を貫設しており、この連通孔４３にバネ４４を嵌装するとともに、このバネ４４の両端部と錠ケース２０（ケース座２０Ｂ）のガイド溝２９０との間にボール形状や円錐形状等の位置決め部材４５を介装してある。
【００２５】
すなわち、錠ケース２０に形成したガイド溝２９０、バネ４４及び位置決め部材４５をクリック機構として採用している。
解錠時には、サムターン４０の摘み部４１を上動することにより、図２に示すように、前記位置決め部材４５を錠ケース２０の上端部ガイド溝２９１に係合させて、サムターン４０の解錠状態が確実に保持される。また、サムターン４０に連動される施錠片３０も、前記トリガー６０の作用と相俟って錠ケース２０内（収納室２８）より突出しないように阻止される。なお、施錠時には、サムターン４０の摘み部４１を下動することにより、図９に示すように、前記位置決め部材４５を錠ケース２０の下端部ガイド溝２９２に係合させて、サムターン４０の施錠状態が確実に保持されると共に、施錠片３０の突出状態が保持される。
【００２６】
錠ケース２０内（収納室２８）の後部（この実施形態ではケース座２０Ｂの後部）の室内側を臨む位置には、バネ５１で常時は反時計方向に付勢されたガード部材５０を枢着している。
【００２７】
このガード部材５０は、図２や図８に示されるように、下部を略円柱形状として、該略円柱形の長手方向には枢軸用穴５２を穿設してあるとともに、前部の一部にはバネ５１を設ける凹部５３を形成してあり、しかも、この略円柱形の前部には当接板５４を起立させてある。そして、このガード部材５０は、ケース座２０Ｂの前部壁２６より後方の収納室２８の前記連通孔２７より下方位置に配置して、前記枢軸用穴５２と、ケース座２０Ｂの左右側壁２９Ａ、２９Ａに形成した枢軸用穴２９４とに枢軸５５を挿通して、ケース座２０Ｂ内にガイド部材５０を枢着している。該ガード部材５０は、図２及び図９に示すように、バネ５１により、常時には当接板５４がケース座２０Ｂの前部壁２６に当接するように付勢してある。
【００２８】
前記トリガー６０は、図２、図９，図１１及び図１３に示されるているように、該トリガー６０の後部を、錠ケース２０（ケース本体２０Ａ）の左右側壁２９、２９に枢軸６１で枢着し、バネ６２により常時は図面において時計方向に付勢している。
【００２９】
一方、外側障子１０に設けられる受座７０は室内側の前面が開口し、室外側が閉塞された箱状のものであり、その内部を受孔７１としてあり、該受座７０には前記トリガー６０に対向する位置に磁石７２が設けてある。
【００３０】
このトリガー６０があるため、解錠して開戸した時には、図２に示すように、施錠片３０の係止受部３４にトリガー６０の係止部６３が係止して施錠片３０が錠ケース２０内（収納室２８）から突出するのを阻止する。
また、閉戸時には、図９及び図１１に示すように、トリガー６０は相手方の受座７０に設けた磁石７２の吸引力により、該トリガー６０は枢軸６１を支点に反時計方向に回動され、トリガー６０の係止部６３と施錠片３０の係止受部３４との係合が解除され、施錠片３０が錠ケース２０内（収納室２８）から突出するのを許容し、サムターン４０の作動により施錠片３０を回動（突出）させて施錠する。
【００３１】
本発明では、閉戸時に、図９に示すように、サムターン４０の摘み部４１を施錠方向へ作動することにより施錠片３０が錠ケース２０内（収納室２８）から突出して相手方の受座７０の受孔７１に係合した施錠状態時において、図１１に示すように、前記ガード部材５０の先端部５４ａを室内方向へ回動してサムターン４０の先端部４６に係止させることにより、サムターン４０の解錠方向への回動を阻止して前記施錠片３０の解錠を阻止するようにしてある。この場合、図９の閉戸施錠状態において、ガード部材５０の操作部５６を把持して、当接板５４を同図において時計方向に回動すると、当接板５４の先端部５４ａの傾斜面がサムターン４０の先端部４６の下面を乗り越えて、図１１に示されるように、前記先端部５４ａの裏面がサムターン４０の先端部４６頂面と当接した状態となる。
【００３２】
この図１１に示すような施錠状態においては、施錠片３０やサムターン４０やガード部材５０等の施錠機構部は室外から見えないので、防犯上安全である上に、万一、不法侵入者が引戸のガラスを割って、上記施錠機構部を探りあてて、片手を室内側に入れて解錠操作をしようとしても、上記ガード部材５０とサムターン４０とが前記の如く係止されているので、サムターンの摘み部４１を探り当てることは困難であり、摘み部４１を操作させて解錠することは非常に困難である。
【００３３】
次に、本発明に係る引戸の防犯錠の作用について、図２，図３、図９〜図１４に基づいて以下に説明する。
図２は開戸解錠状態の錠ケースの縦断面図、図３は図２の右側面図を示している。この図２では、サムターン４０の摘み部４１は上動されて施錠片３０の前部を錠ケース２０の収納室２８内に没入した状態（解錠状態）で、トリガー６０の係止部６３が施錠片３０の係止受部３４に係止して、該施錠片３０が錠ケース２０内（収納室２８）より突出するのを阻止しているので、施錠操作することができない。このとき、位置決め部材４５は上端部ガイド溝２９１に係止されている。
【００３４】
図２の開戸解錠状態で、戸を閉めて図１に示すように、内側障子の縦框３と外側障子の縦框１３とが対向すると、受座７０の磁石７２の吸引力により錠ケース２０内のトリガー６０は図２の状態から枢軸６１を支点に反時計方向に回動されるため、施錠片３０の係止受部３４はトリガー６０の係止部６３による係合が解除され、施錠片３０の回動が許容される。そこで、図９に示すように、サムターン４０の摘み部４１を下動すると、施錠片３０の連結部は枢軸３１を支点に反時計方向に回動され、施錠片３０の前部が受座７０の受孔７１に係入され施錠状態となる。このとき、位置決め部材４５は下端部ガイド溝２９２に係止されている。なお、図９の状態では、サムターン４０を上動して施錠片３０を受孔７１より離脱して図２の如く解錠状態とすることができる。
【００３５】
図９の、閉戸施錠状態において、［００３１］で説明したように、ガード部材５０の先端部５４ａを室内方向へ回動して、図１１に示すように、サムターン４０の先端部４６に係止させることで、前記施錠片３０の解錠方向への作動が阻止され、防犯施錠状態となり、［００３２］に説明したような利点がある。なお、このとき、位置決め部材４５は、図１１に示すように、下端部ガイド溝２９２に係止されている。
【００３６】
図１１の施錠状態において、解錠するためには、図１１においてガード部材５０を、図１３に示すように、更に室内方向（時計方向）へ回動して、ガード部材５０の先端部５４ａとサムターン４０の先端部４６との係合を解除して、図１３で示すサムターン４０の摘み部４１を上動すれば、連結軸３３を介して施錠片３０が枢軸３１を支点に時計方向に回動し、図２の如く、施錠片３０が錠ケース２０内（収納室２８）に没入して解錠状態となる。これにより戸が開閉される。
なお、この場合、図１３で示しているガード部材５０は手を離すと、バネ５１のバネ力により図２に示すように当接板５４が前部壁２６に当接する。
【００３７】
なお、前記実施形態において、錠ケース２０は、ケース本体２０Ａと、ケース座２０Ｂとの別体で形成している例を示したが、両者２０Ａ、２０Ｂを成型等により一体に成形することもできる。
また、施錠片３０、サムターン４０、ガード部材５０、トリガー６０，受座７０は、いずれも形状や取付位置を設計変更することができる。
【図面の簡単な説明】
【００３８】
【図１】本発明に係る引戸の防犯錠を内外両側の障子に取り付けた解錠状態の水平断面図である。
【図２】開戸解錠状態の錠ケースの縦断面図である。
【図３】図２の右側面図である。
【図４】図２の左側面図である。
【図５】錠ケースと受座の斜視図である。
【図６】図２における施錠片とサムターンとガード部材とトリガーとの連係状態を示す斜視図である。
【図７】サムターンの斜視図である。
【図８】ガード部材の斜視図である。
【図９】閉戸施錠状態の縦断面図である。
【図１０】図９の右側面図である。
【図１１】図９の施錠状態からガード部材を室内側へ回動して、ガード部材の先端部をサムターンの先端部に係止した防犯施錠状態を示す縦断面図である。
【図１２】図１１の右側面図である。
【図１３】図１１の状態からガード部材を更に室内側へ回動してサムターンとの係合を解除した解錠可能状態を示した縦断面図である。
【図１４】図１３の右側面である。
【符号の説明】
【００３９】
１          内側障子
３          内側障子の縦框
４          内側障子のガラス
１０        外側障子
１３        外側障子の縦框
１４        外側障子のガラス
２０        錠ケース
２０Ａ      ケース本体
２０Ｂ      ケース座
２６        前部壁
２８        収納室
３０        施錠片
３１        枢軸
３２        長穴
３３        連結軸
３４        係止受部
４０        サムターン
４１        摘み部
４２        枢軸
４３        連通孔
４４        バネ
４５        位置決め部材
４６        先端部
５０        ガード部材
５１        バネ
５４        当接板
５４ａ      先端部
５５        枢軸
６０        トリガー
６１        枢軸
６２        バネ
６３        係止部
７０        受座
７１        受孔
７２        磁石
２９０      ガイド溝
２９１      上端部ガイド溝
２９２      下端部ガイド溝
【図１】
2008280719.tif 000003
【図２】
2008280719.tif 000004
【図３】
2008280719.tif 000005
【図４】
2008280719.tif 000006
【図５】
2008280719.tif 000007
【図６】
2008280719.tif 000008
【図７】
2008280719.tif 000009
【図８】
2008280719.tif 000010
【図９】
2008280719.tif 000011
【図１０】
2008280719.tif 000012
【図１１】
2008280719.tif 000013
【図１２】
2008280719.tif 000014
【図１３】
2008280719.tif 000015
【図１４】
2008280719.tif 000016